(57)【要約】【課題】液晶ディスプレイを遊技盤に固定せずとも良く、また、部品を共通化して製造時のコストダウンを図れる遊技機を提供する。【解決手段】連結梁２３と液晶ディスプレイ１１とを、液晶ディスプレイ１１の左右側面に２個ずつ突設された自在継ぎ手２２で連結し、連結梁２３と支持体２０とを自在継ぎ手２７で連結する。連結梁２３は、軸２４を回動軸として回動自在に連結されている第１棒状部材２５と第２棒状部材２６とで構成されており、したがって、液晶ディスプレイ１１は、連結梁２３によって、上下方向及び左右方向及び前後方向の３次元方向に移動自在となるように支持体２０に取り付けられている。これにより、遊技盤４の開口の位置に液晶ディスプレイ１１の位置を整合させることができる。【選択図】　　　　図６
2004129793.tif 000002
【特許請求の範囲】
【請求項１】
本体枠内に遊技盤を備え、遊技盤面に設けられた開口を通して図柄を変動表示及び停止表示させることのできる可変表示手段を前面側から観察可能な遊技機において、
前記可変表示手段は、前記本体枠内に設けられる支持体と、３次元方向に移動自在となるようにした少なくとも１つの連結梁を介して、前記開口に対して位置調整可能なように、支持体に取り付けられていることを特徴とする遊技機。
【請求項２】
前記連結梁は、複数の棒状部材の互いの一端を回動自在に連結した構成となっており、前記連結部を自在に屈折させることによって、前記開口に対する前記可変表示手段の位置を変位させることを特徴とする請求項１記載の遊技機。
【請求項３】
前記連結梁は、嵌合によって連結された複数の部材から構成されており、嵌合部が摺動することによって、前記開口に対する前記可変表示手段の位置を変位させることを特徴とする請求項１記載の遊技機。
【請求項４】
前記連結梁は、前記支持体に突設されたピンを嵌合させる長穴が設けられ、該ピンに沿って長穴の領域内にて摺動させることによって、前記開口に対する前記可変表示手段の位置を変位させることを特徴とする請求項１記載の遊技機。
【請求項５】
前記連結梁は、前記支持体に対する前記可変表示手段の位置を離反させるよう弾性部材によって付勢されていることを特徴とする請求項１〜４のいずれか１つに記載の遊技機。
【請求項６】
前記連結梁は、前記支持体または前記可変表示手段の少なくとも一方と、変位自在に回動可能とさせる軸部を備えた自在継ぎ手によって連結していることを特徴とする請求項１〜５のいずれか１つに記載の遊技機。
【請求項７】
前記連結梁は、前記支持体または前記可変表示手段の少なくとも一方と、球面によって全方向移動自在に摺動可能とさせる球面継ぎ手によって連結していることを特徴とする請求項１〜５のいずれか１つに記載の遊技機。
【請求項８】
前記可変表示手段は、複数の前記連結梁を繋ぐ棒状の連結桁に沿って摺動自在となるよう挿通部材を介して連結していることを特徴とする請求項１〜５のいずれか１つに記載の遊技機。
【請求項９】
前記可変表示手段を、弾性部材の弾性力によって鉛直方向の中立位置に位置調節されるよう付勢させる支持部材が設けられていることを特徴とする請求項１〜８のいずれか１つに記載の遊技機。
【発明の詳細な説明】
【０００１】
【発明の属する技術分野】
本発明は、パチンコ店等の遊技上に設置して使用されるパチンコ機等の遊技機に関し、更に詳しくは、遊技に用いられる液晶ディスプレイ等の可変表示手段を備えた遊技機に関するものである。
【０００２】
【従来の技術】
遊技場に設置される遊技機としてパチンコ機が挙げられる。パチンコ機には本体枠内に遊技領域が区画された遊技盤が配設されており、その遊技領域の前面には開閉自在な前面枠が設けられている。このようなパチンコ機は、遊技場に設置されている状態で、且つ前面枠が閉じられているときには、何人もパチンコ機の内部の遊技盤や電子機器等には触れることができないロック構造になっている。なお、遊技場の作業者がパチンコ機の内部に触れる必要があるときには、前面枠を開いて作業を行うことになる。
【０００３】
現在、パチンコ機は構成部品の多くを共通化することで、コストダウンや遊技場における機種交換の便宜を図っており、遊技盤を遊技機本体枠から容易に着脱自在となるように交換できるようにしているものが多い。
【０００４】
また、近年のパチンコ機の多くは、遊技盤上の所定位置に開口を設け、この開口を通して観察できる図柄や数字等を変動表示させる可変表示装置を備えている。この可変表示装置を用いて、ストーリー性や演出効果を持たせた態様を表示することによって遊技の興趣を高めることができる。最近では、この可変表示装置で表示される態様に対して、高度な表現力が求められるようになってきており、可変表示装置として、遊技盤の略中央に液晶ディスプレイを採用しているパチンコ機が一般的である。なお、液晶ディスプレイの他に、７セグ表示器、ドットマトリクス表示器、ＥＬディスプレイ、ＬＥＤ表示器、プラズマディスプレイ、蛍光灯表示器、ドラム式表示器等も可変表示装置として用いられる。
【０００５】
【発明が解決しようとする課題】
しかしながら、上記のような液晶ディスプレイ（可変表示装置）を備えたパチンコ機では、液晶ディスプレイは遊技盤に設けられた開口に合うように固定されており、遊技盤を交換する際には液晶ディスプレイも一緒に交換しなければならず、また、機種によっては遊技盤に設けられる開口の位置が異なるため、異機種間で液晶ディスプレイの取り付け部品の共通化を図って製造時のコストダウンをすることが困難であった。さらに、交換された遊技盤の処分時に液晶ディスプレイを取り外す手間が掛かっていた。
【０００６】
本発明は、上記従来技術の問題を解決するためになされたものであり、遊技機本体枠内に設けられた支持体に可変表示手段を三次元方向に移動自在となるように取り付けることにより、前記遊技機本体枠に対して着脱自在とさせた遊技盤と可変表示手段を分離可能とするとともに、遊技盤上の異なる開口の位置に可変表示手段を配置（位置調整）できるようにすることで、可変表示手段を遊技盤に設けられた開口に合うように事前に固定せずとも良く、また、部品を共通化して製造時のコストダウン及びリサイクル化を図れる遊技機を提供することを目的とする。
【０００７】
【課題を解決するための手段】
上記目的を達成するために、本発明の遊技機は、本体枠内に遊技盤を備え、遊技盤面に設けられた開口を通して図柄を変動表示及び停止表示させることのできる可変表示手段を前面側から観察可能なものであって、前記可変表示手段は、前記本体枠内に設けられる支持体と、３次元方向に移動自在となるようにした少なくとも１つの連結梁を介して、前記開口に対して位置調整可能なように、支持体に取り付けられていることを特徴とするものである。
【０００８】
また、前記連結梁は、複数の棒状部材の互いの一端を回動自在に連結した構成となっており、前記連結部を自在に屈折させることによって、前記開口に対する前記可変表示手段の位置を変位させることが好適である。
【０００９】
また、前記連結梁は、嵌合によって連結された複数の部材から構成されており、嵌合部が摺動することによって、前記開口に対する前記可変表示手段の位置を変位させることが好適である。
【００１０】
また、前記連結梁は、前記支持体に突設されたピンを嵌合させる長穴が設けられ、該ピンに沿って長穴の領域内にて摺動させることによって、前記開口に対する前記可変表示手段の位置を変位させることが好適である。
【００１１】
また、前記連結梁は、前記支持体に対する前記可変表示手段の位置を離反させるよう弾性部材によって付勢されていることが好適である。これにより、遊技機と可変表示手段との前後の位置関係の調整が容易となる。
【００１２】
また、前記連結梁は、前記支持体または前記可変表示手段の少なくとも一方と、変位自在に回動可能とさせる軸部を備えた自在継ぎ手によって連結していることが好適である。
【００１３】
また、前記連結梁は、前記支持体または前記可変表示手段の少なくとも一方と、球面によって全方向移動自在に摺動可能とさせる球面継ぎ手によって連結していることが好適である。
【００１４】
また、前記可変表示手段は、複数の前記連結梁を繋ぐ棒状の連結桁に沿って摺動自在となるよう挿通部材を介して連結していることが好適である。
【００１５】
また、前記可変表示手段を、弾性部材の弾性力によって鉛直方向の中立位置に位置調節されるよう付勢させる支持部材が設けられていることが好適である。これにより、可変表示手段の重量を支持し、可変表示手段の上下方向への中立位置戻り移動をさせることができる。
【００１６】
【発明の実施の形態】
図１に本発明を用いたパチンコ機の外観を示す。パチンコ機２の本体枠３の内部には遊技盤４（図２に図示）が配設されており、遊技盤４の前面には前面枠５が開閉自在に設けられている。前面枠５の下方には、打球供給用の供給皿６及び遊技球発射手段にて遊技球を打ち出す強さを調節する操作ハンドル７が設けられている。遊技者は、供給皿６に遊技球を投入し、操作ハンドル７を操作して、遊技盤４上に遊技球を打ち出す。前面枠５が閉じている状態であるときには、遊技者や遊技場の作業者は、前面枠５に板状のガラスが装着されて形成されるガラス窓８を通して遊技盤４の遊技領域４ａ（図２に図示）　及び遊技領域４ａ上を流下していく打ち出された遊技球を見ることはできるが、遊技盤４にはもちろんのこと内部の電子機器（図示せず）にも触れることはできない。
【００１７】
図２は、前面枠５を開放した状態の外観を示している。遊技盤４上にはガイドレール１０に囲まれた遊技領域４ａが形成され、液晶ディスプレイ１１や、始動入賞口１２、通常入賞口１３、アタッカ１４等の入賞部、及びアウト口１５、役物１６が配設されている。また、遊技領域４ａには、図示を省略した、釘、風車なども設けられている。遊技球はガイドレール１０に沿って打ち出され、遊技領域４ａ　内を流下し、始動入賞口１２または通常入賞口１３またはアタッカ１４等の入賞部のいずれかに入賞するか、あるいはアウト口１５からハズレ球として回収される。始動入賞口１２または通常入賞口１３またはアタッカ１４等の入賞部のいずれかに遊技球が入賞したときには所定個数の賞球が供給皿６に払い出される。なお、パチンコ機における釘、風車などの構造物は公知であるので説明は省略する。
【００１８】
液晶ディスプレイ１１は、遊技の様々な場面において演出効果を兼ねた様々な態様となるように図柄を変動表示できる可変表示装置である。遊技盤４の略中央には開口部が設けられており、この開口部の周囲を覆うように役物１６が配設されている。パチンコ機２の前面より、遊技盤４の略中央に設けられた開口部を通して液晶ディスプレイ１１を観察できるようになっている。
【００１９】
液晶ディスプレイ１１と、本体枠３内の例えば回収球誘導部材や制御回路取り付け用基板等の適宜の部材の所定位置に設けられた支持体２０との、連結の態様を示す正面図を図３に、側面図を図４に示す。液晶ディスプレイ１１の左右側面にはガイドスリット２１及び自在継ぎ手２２が２個ずつ突設されており、自在継ぎ手２２のそれぞれには連結梁２３が継ぎ手軸２２ａ、２２ｂを中心に回動自在に連結されている。
【００２０】
連結梁２３は、軸２４を回動軸として前または後の方向へと回動自在に連結されている第１棒状部材２５と、第２棒状部材２６とで構成されている。連結梁２３は、支持体２０に突設された自在継ぎ手２７に、継ぎ手軸２７ａを介して左側または右側方向へと回動自在に連結されるとともに、継ぎ手軸２７ｂを介して上側または下側方向へと回動自在に連結されており、したがって、液晶ディスプレイ１１は、連結梁２３によって、上下方向及び左右方向及び前後方向の３次元方向に変動自在となるように支持体２０に取り付けられている。また、第１棒状部材２５と第２棒状部材２６に設けられている連結部に対してトーションバネ２８が取り付けてあり、トーションバネ２８の弾性力によって、第１棒状部材２５と第２棒状部材２６とが成す角度が前方に向かって大きくなるよう付勢されている。即ち、連結梁２３は、トーションバネ２８によって液晶ディスプレイ１１を支持体２０から離反させるよう、付勢されている。なお、連結梁２３の個数や配置は、上記のものに限られず適宜決めて良い。また、連結梁２３を構成する棒状部材の個数は複数個であれば、第１棒状部材２５及び第２棒状部材２６の２個に限られず適宜決めて良い。
【００２１】
液晶ディスプレイ１１の背面の略中央には窪み２９が設けられ、ウェイトアシストクランク３０の先端が窪み２９に当接するように宛がわれている。ウェイトアシストクランク３０は、連結部３３の軸部において上下方向に回動自在に連結された前記先端側の上アーム３１と支持体２０側に一端が連結されている下アーム３２とで構成されており、この連結部３３にて上アーム３１と下アーム３２とが成す角度が上方に向かって大きくなるようトーションバネ３４によって付勢されている。下アーム３２の下端は軸３５を回動軸として前後方向に回動自在に支持体２０に連結されている。即ち、ウェイトアシストクランク３０は、液晶ディスプレイ１１をトーションバネ３４の弾性力によって鉛直上方向に付勢するとともに前後方向に移動させることのできる支持部材として機能している。なお、ウェイトアシストクランク３０が液晶ディスプレイ１１を支持する位置は背面の略中央に限られず適宜決めて良い。
【００２２】
図５及び図６及び図７を用いて、上記のように構成されたパチンコ機の作用について説明する。図５は遊技盤４と液晶ディスプレイ１１とを接続する方法を示す概略平面図であり、図６は開口部１６ａを備えた役物１６が設けられている遊技盤４と液晶ディスプレイ１１とを接続する方法を示す概略側面図である。図７はパチンコ機として完成した際の、遊技盤４と液晶ディスプレイ１１と本体枠３との関係を示す外観側面図である。図７に示すように、支持体２０は本体枠３内に配設されている。
【００２３】
遊技盤４は、液晶ディスプレイ１１の前面と役物１６の開口部１６ａを合致するように押し付けることにより接続される。このとき、連結梁２３は、自在継ぎ手２２、２７における上下左右自在な回動と、軸２４における前後自在な回動による屈伸によって液晶ディスプレイ１１の位置を上下方向及び左右方向及び前後方向に移動させて、遊技盤４に設けられた開口となる役物１６の開口部１６ａの位置と液晶ディスプレイ１１の位置とを整合させる。遊技盤４の裏側には楔形状のガイドリブ４０が突設されており、液晶ディスプレイ１１の左右側面にはガイドリブ４０を案内するように係合挿入させるガイドスリット２１が突設されている。また、連結梁２３の第１棒状部２５と第２棒状部材２６との連結部に設けたトーションバネ２８の弾性力によって、液晶ディスプレイ１１は前方へ付勢されている。さらに、ガイドスリット２１は後方から前方に行くにしたがって広く開口した、傾斜面形状となっており、ガイドリブ４０の先端がガイドスリット２１の開口部２１ａ内に挿入されれば、遊技盤４を液晶ディスプレイ１１の方向に押し込むだけで、ガイドリブ４０とガイドスリット２１との接触面の摺動によって、液晶ディスプレイ１１の位置と遊技盤４に設けられた開口となる役物１６の開口部１６ａの位置とを互いに誘導し合うように整合させることができる。
【００２４】
なお、液晶ディスプレイ１１と遊技盤４とを接続する方法としては、上記実施形態のように本体枠３内に配設された支持体２０及び液晶ディスプレイ１１に遊技盤４を接続する方法に限られず、まず遊技盤に液晶ディスプレイと支持体を遊技盤に取り付けた後に、遊技盤及び液晶ディスプレイ及び支持体を本体枠内の設置場所に対して取り付ける方法であっても良い。
【００２５】
また、連結梁は、上記実施形態のような回動自在に連結された複数の棒状部材から構成されたものではなく、嵌合によって連結された複数の部材から構成されたものとしても良い。また、連結梁と液晶ディスプレイ及び連結梁と支持体との連結は、上記のような自在継ぎ手による連結ではなく、球面継ぎ手による連結としても良い。この場合の態様の例を図８及び図９に示す。図８は液晶ディスプレイ４６と支持体４７との連結の態様を示す側面図である。図９は液晶ディスプレイ４６と支持体４７との連結の態様を示す平面図である。
【００２６】
連結梁４５は、内側円筒部材４８の外側に外側円筒部材４９を伸縮自在に嵌合させることによって構成されている。内側円筒部材４８の外側面と外側円筒部材４９の内側面とが嵌合部において摺動することによって、連結梁４５は前後方向移動自在となるように伸縮する。連結梁４５と液晶ディスプレイ４６とは、液晶ディスプレイ４６の背面側の部分に突設された球面継ぎ手５０によって前方向移動自在に連結されている。連結梁４５と支持体４７とは、支持体４７内側の部分に突設された球面継ぎ手５１の球体を摺動させることによって連結されている。したがって、液晶ディスプレイ４６は、連結梁４５によって、上下方向及び左右方向及び前後方向の３次元方向に変動自在となるように支持体４７に取り付けられている。
【００２７】
内側円筒部材４８及び外側円筒部材４９の内部にはコイルバネ５２が収納されており、連結梁４５はコイルバネ５２の弾性力によって伸長するよう付勢されている。即ち、連結梁４５は、コイルバネ５２によって液晶ディスプレイ４６を支持体４７から離反させるよう、前方に向かって付勢されている。なお、連結梁４５の個数や配置は、上記のような１個に限られず適宜決めて良い。また、連結梁を構成する部材の個数は複数個であれば、内側円筒部材４８及び外側円筒部材４９の２個に限られず適宜決めて良い。
【００２８】
図８及び図９に示した態様で構成された場合の、液晶ディスプレイ４６と遊技盤４との接続は、図５及び図６及び図７に示した接続方法と同様にすることができる。遊技盤４は、液晶ディスプレイ４６の前面と役物１６の開口部１６ａを合致するように押し付けることにより接続される。このとき、連結梁４５は、球面継ぎ手５０、５１における前方向移動と、内側円筒部材４８と外側円筒部材４９との嵌合部における前後方向移動自在な伸縮によって液晶ディスプレイ４６の位置を上下方向及び左右方向及び前後方向に移動させて、遊技盤４に設けられた開口となる役物１６の開口部１６ａの位置と液晶ディスプレイ４６の位置とを整合させる。液晶ディスプレイ４６の左右側面にはガイドリブ４０を案内するように係合挿入させるガイドスリット５３が突設されている。また、連結梁４５の内部に収納されたコイルバネ５２の弾性力によって、液晶ディスプレイ４６は前方へ付勢されている。さらに、ガイドスリット５３は前面方向に行くにしたがって広く開口した、傾斜面形状となっており、ガイドリブ４０の先端がガイドスリット５３の開口部５３ａ内に挿入されれば、遊技盤４を液晶ディスプレイ４６の方向に押し込むだけで、ガイドリブ４０とガイドスリット５３との接触面の摺動によって、液晶ディスプレイ４６の位置と遊技盤４に設けられた開口となる役物１６の開口部１６ａの位置とを互いに誘導し合うように整合させることができる。
【００２９】
なお、液晶ディスプレイ４６と遊技盤４とを接続する方法としては、本体枠３内に配設された支持体４７及び液晶ディスプレイ４６に遊技盤４を接続する方法に限られず、まず遊技盤に液晶ディスプレイと支持体を遊技盤に取り付けた後に、遊技盤及び液晶ディスプレイ及び支持体を本体枠内の設置場所に対して取り付ける方法であっても良い。
【００３０】
また、上記実施形態とは別の態様の連結梁を介した液晶ディスプレイと支持体との連結の態様の例を図１０及び図１１に示す。図１０は液晶ディスプレイ５６と支持体５７との連結の態様を示す側面図である。図１１は液晶ディスプレイ５６と支持体５７との連結の態様を示す分解斜視図である。
【００３１】
連結梁５５は、連結梁５５に設けられた丸穴５５ａに挿入された連結桁５８、及び止め輪５９によって上下方向に２ヶ所連結されている。液晶ディスプレイ５６は、液晶ディスプレイ５６の側面に突設された挿通部材となる軸受５６ａに挿通される連結桁５８に基づいて摺動自在に連結されることで上下方向に移動自在となるよう連結梁に連結されている。連結梁５５には縦方向に貫通させた長穴５５ｂが設けられており、長穴５５ｂを支持体５７の上下方向に突設されているピン６０に摺動自在に嵌合させることで、液晶ディスプレイ５６は左右方向に回動自在及び前後方向に移動自在となっている。したがって、液晶ディスプレイ５６は、連結梁５５によって、上下方向及び左右方向及び前後方向の３次元方向に変動自在となるように支持体５７に取り付けられている。
【００３２】
連結梁５５には、丸穴５５ａと反対側の端部に、つる巻きバネ６１の一端を掛止するための掛止ピン５５ｃが上方または下方に向かって突設されており、支持体５７の背面にはつる巻きバネ６１の一端を掛止するための掛止フック５７ａが突設されている。支持体５７の背後で掛止ピン５５ｃと掛止フック５７ａとの間につる巻きバネ６１が掛け渡されており、連結梁５５は、つる巻きバネ６１の弾性力によって後方へ突出させた場合に前方へ戻るよう付勢されている。即ち、連結梁５５は、つる巻きバネ６１によって液晶ディスプレイ５６を支持体５７から離反させるよう、付勢されている。なお、連結梁の個数や配置は適宜決めて良い。
【００３３】
支持体５７の、液晶ディスプレイ５７が収容される内側下部または上部には、コイルバネ６２が起立した状態で固着されている。コイルバネ６２の一端は液晶ディスプレイ５６の下端または上端に接触し、液晶ディスプレイ５６を鉛直方向に付勢させ中立位置に維持させる支持部材として機能している。なお、コイルバネ６２の個数や配置は図１０及び図１１のものに限らず適宜決めて良い。
【００３４】
図１０及び図１１に示した態様で構成された場合の、液晶ディスプレイ５６と遊技盤４との接続は、図５及び図６及び図７に示した接続方法と同様にすることができる。遊技盤４は、液晶ディスプレイ５６の前面と役物１６の開口部１６ａを合致するように押し付けることにより接続される。このとき、連結梁５５は、長穴５５ｂ部内におけるピン６０の前後方向の摺動と、ピン６０を軸とした左右方向の回動と、軸受５６ａと連結桁５８との上下方向の摺動とによって、液晶ディスプレイ５６の位置を上下方向及び左右方向及び前後方向に移動させて、遊技盤４に設けられた開口となる役物１６の開口部１６ａの位置と液晶ディスプレイ５６の位置とを整合させる。液晶ディスプレイ５６の左右側面にはガイドリブ４０を案内するように係合挿入させるガイドスリット６３が突設されている。また、つる巻きバネ６１の弾性力によって、液晶ディスプレイ５６が押圧されても前方へ付勢するようにされている。さらに、ガイドスリット６３は前面方向に行くにしたがって広く開口した、傾斜面形状となっており、ガイドリブ４０の先端がガイドスリット６３の開口部６３ａ内に挿入されれば、遊技盤４を液晶ディスプレイ５６の方向に押し込むだけで、ガイドリブ４０とガイドスリット６３との摺動によって、液晶ディスプレイ５６の位置と遊技盤４に設けられた開口となる役物１６の開口部１６ａの位置とを互いに誘導し合うように整合させることができる。
【００３５】
なお、液晶ディスプレイ５６と遊技盤４とを接続する方法としては、本体枠３内に配設された支持体５７及び液晶ディスプレイ５６に遊技盤４を接続する方法に限られず、まず遊技盤に液晶ディスプレイと支持体を遊技盤に取り付けた後に遊技盤及び液晶ディスプレイ及び支持体を本体枠内の設置場所に対して取り付ける方法であっても良い。
【００３６】
【発明の効果】
以上のように、本発明の遊技機によれば、連結梁によって液晶ディスプレイを上下方向及び左右方向及び前後方向に変動自在となるように支持体に連結したので、遊技盤と液晶ディスプレイを分離可能とするとともに、遊技盤面に設けられた異なる開口の位置、または成形時の誤差で開口の位置が狂っても液晶ディスプレイを配置できるようになり、液晶ディスプレイを遊技機本体側に残したまま遊技盤を交換できるため、液晶ディスプレイを遊技盤に固定せずとも良く、また、部品を共通化して製造時のコストダウンを図れる遊技機を提供することができる。
【図面の簡単な説明】
【図１】本発明を実施したパチンコ機の外観を示す斜視図である。
【図２】図１に示したパチンコ機の前面枠を開放した状態の外観を示す斜視図である。。
【図３】液晶ディスプレイと支持体との連結の態様を示す正面図である。
【図４】液晶ディスプレイと支持体との連結の態様を示す側面図である。
【図５】遊技盤と液晶ディスプレイとを接続する方法を示す概略平面図である。
【図６】遊技盤と液晶ディスプレイとを接続する方法を示す概略側面図である。
【図７】遊技盤と液晶ディスプレイと本体枠との関係を示す外観側面図である。
【図８】液晶ディスプレイと支持体との連結の態様を示す側面図である。
【図９】液晶ディスプレイと支持体との連結の態様を示す平面図である。
【図１０】液晶ディスプレイと支持体との連結の態様を示す側面図である。
【図１１】液晶ディスプレイと支持体との連結の態様を示す分解斜視図である。
【符号の説明】
２　パチンコ機
３　本体枠
４　遊技盤
１１、４６、５６　液晶ディスプレイ
１６　役物
１６ａ　開口部
２０、４７、５７　支持体
２２、２７　自在継ぎ手
２３、４５、５５　連結梁
２８　トーションバネ
３０　ウェイトアシストクランク
５０、５１　球面継ぎ手
５２、６２　コイルバネ
５５ｂ　長穴
５８　連結桁
６０　ピン
６１　つる巻きバネ
【図１】
2004129793.tif 000003
【図２】
2004129793.tif 000004
【図３】
2004129793.tif 000005
【図４】
2004129793.tif 000006
【図５】
2004129793.tif 000007
【図６】
2004129793.tif 000008
【図７】
2004129793.tif 000009
【図８】
2004129793.tif 000010
【図９】
2004129793.tif 000011
【図１０】
2004129793.tif 000012
【図１１】
2004129793.tif 000013